(57)【要約】      （修正有）【課題】プレーヤーの体格に応じた理想的なスイングフォームを再現させて、正確なパターを行うことのできる新たなパター練習補助装置を提供することを課題とする。【解決手段】ゴルフシャフト２をスライドさせるスライドバー３と、パターヘッド４をガイドするパッティングプレート５と、前記スライドバーと前記パッティングプレートとをパッティング方向に指向させて位置決めするベースプレート６とを備える。さらに、前記パッティングプレートには、パターヘッド４の下端部を理想的な軌道に沿ってガイドする湾曲状のガイドフランジ７が設けられている。これにより、理想的なパッティングフォームで繰り返しパッティング練習をすることができる。【選択図】図１
0003190777.tif 000002
【実用新案登録請求の範囲】
【請求項１】
パターヘッドをガイドするパッティングプレートと、前記パッティングプレートを支持
するベースプレートとを備え、前記パッティングプレートには、パターヘッドの下端部を
理想的なスイング軌道に沿ってガイドする湾曲状のガイドフランジが設けられていること
を特徴とするパター練習補助装置。
【請求項２】
ゴルフシャフトをスライドさせるスライドバーと、パターヘッドをガイドするパッティ
ングプレートと、前記スライドバーと前記パッティングプレートとをパッティング方向に
指向させて位置決めするベースプレートとを備え、前記パッティングプレートには、パタ
ーヘッドの下端部を理想的なスイング軌道に沿ってガイドする湾曲状のガイドフランジが
設けられていることを特徴とするパター練習補助装置。
【請求項３】
前記ガイドフランジの曲率が変更可能である請求項１又は２に記載のパター練習補助装
置。
【請求項４】
前記ガイドフランジが弾性体で構成され、その中央部分が前記パッティングプレートの
プレート面に支持され、その長手方向の両端部が前記パッティングプレートのプレート面
に上下位置調整自在に取り付けられて、前記両端部を前記中央部分より上方位置に固定す
ることにより、前記ガイドフランジを所定の曲率で湾曲させることができる請求項１又は
２に記載のパター練習補助装置。
【請求項５】
前記ベースプレートには、パッティング方向を示すマークが施され、前記パッティング
プレートは、前記マークに対して近接離反自在に前記ベースプレートに取り付けられてい
る請求項１から４の何れかに記載のパター練習補助装置。
【考案の詳細な説明】
【技術分野】
【０００１】
本考案は、パターヘッドの動きをガイドすることにより、理想的なスイングフォームを
形成することのできるゴルフのパター練習補助装置に関する。
【背景技術】
【０００２】
この種の練習補助装置としては、これまで種々のものが提案されている。例えば、特許
文献１に記載のパター練習器は、レーザー光と並行に並べた角材間でパターヘッドを動か
すことにより、正確に方向付されたストローク練習を可能にしたものである。また、特許
文献２に記載のパッティング練習装置は、ゴルフシャフトを誘導面に沿って滑らすことに
より、パターヘッドの面がゴルフボールを打つのに適した角度に位置合わせできるように
したものである。
【先行技術文献】
【特許文献】
【０００３】
【特許文献１】特開２００５−２０５１１６号公報
【特許文献２】特表２０１１−５１８５９４号公報
【考案の概要】
【考案が解決しようとする課題】
【０００４】
ところが、特許文献１の練習器では、パターヘッドの動きを重視する余り、ゴルフシャ
フトの振りが安定しない問題がある。これに対し、特許文献２の装置では、ゴルフシャフ
トが誘導面でガイドされるから、シャフトの振りは安定するが、パターヘッドの向きは、
目視で調整するだけなので、パットする際の方向性が安定しないという問題がある。
【０００５】
本考案は、こうした問題を解決したもので、プレーヤーの体格に応じた理想的なスイン
グフォームを再現させて、正確なパターを行うことのできる新たなパター練習補助装置を
提供することを課題とする。
【課題を解決するための手段】
【０００６】
本考案に係るパター練習補助装置は、パターヘッドをガイドするパッティングプレート
と、前記パッティングプレートを支持するベースプレートとを備え、前記パッティングプ
レートには、パターヘッドの下端部を理想的なスイング軌道に沿ってガイドする湾曲状の
ガイドフランジが設けられていることを特徴とする。これにより、ガイドフランジに沿っ
てパターヘッドをスイングすると、理想的なパッティングフォームでスイングすることが
できる。
【０００７】
また、本考案に係る他のパター練習補助装置は、ゴルフシャフトをスライドさせるスラ
イドバーと、パターヘッドをガイドするパッティングプレートと、前記スライドバーと前
記パッティングプレートとをパッティング方向に指向させて位置決めするベースプレート
とを備え、前記パッティングプレートには、パターヘッドの下端部を理想的な軌道に沿っ
てガイドする湾曲状のガイドフランジが設けられていることを特徴とする。
【０００８】
スライドバーは、ベースプレートに固定された支柱上に取り付けられている。また、パ
ッティングプレートは、それと並行にベースプレート上に固定されている。そして、使用
に際しては、スライドバーとパッティングプレートとがパッティング方向に向くようにベ
ースプレートの設置位置を調整する。そして、パターヘッドの下端部をガイドフランジに
乗せ、ヘッドのフェイス面をパッティング方向と直交する方向に向けて、クラブシャフト
をスライドバーに接触させると、理想的なパッティングフォームの構えができる。その状
態で、パターヘッドをガイドフランジに沿ってスイングすると、理想的なパッティングフ
ォームでスイングすることができる。これにより、同じフォームで繰り返しパッティング
することが可能となる。
【０００９】
また、前記ガイドフランジの曲率は、変更可能であることを特徴とする。具体的には、
前記ガイドフランジが弾性体で構成され、その中央部分が前記パッティングプレートのプ
レート面に支持され、その長手方向の両端部が前記パッティングプレートのプレート面に
上下位置調整自在に取り付けられて、前記両端部を前記中央部分より上方位置に固定する
ことにより、前記ガイドフランジを所定の曲率で湾曲させることができるようになってい
る。これにより、プレーヤーの身長や使用するパタークラブのサイズに応じて、ガイドフ
ランジを最適なスイング軌道に調整することができる。
【００１０】
また、ベースプレートには、パッティング方向を示すマークが施され、前記パッティン
グプレートは、前記マークに対して近接離反自在に前記ベースプレートに取り付けられて
いる。これにより、クラブサイズに応じた最適な位置でパッティングクラブを位置決めす
ることができるとともに、パッティング方向を視認しながら、正しい姿勢でパッティング
することが可能となる。
【考案の効果】
【００１１】
本考案によれば、パターヘッドを理想的な運動軌跡に沿って動かすことができるから、
理想的なスイングフォームを再現させて、パター技術を向上させることができる。
【図面の簡単な説明】
【００１２】
【図１】本発明に係るパター練習補助装置の外観斜視図。
【図２】上記パター練習補助装置をゴルフボール側から見た部分外観斜視図。
【図３】ベースプレートの平面図。
【図４】パッティングプレートを側面から見た外観斜視図。
【図５】パタークラブを構えたときのゴルフボール側から見たパター練習補助装置の正面図。
【図６】ガイドフランジの装着の仕方を示す他の実施形態の説明図。
【考案を実施するための形態】
【００１３】
以下、本考案のパター練習補助装置の一実施形態を図面に基づいて説明する。
各図において、パター練習補助装置１は、ゴルフシャフト２をスライドさせるスライド
バー３と、パターヘッド４をガイドするパッティングプレート５と、スライドバー３とパ
ッティングプレート５とをパッティング方向に指向させて位置決めするベースプレート６
とを備えている。
【００１４】
パッティングプレート５は、図４に示すように、金属製の板材で形成されるもので、そ
の下端部には、パターヘッド４の下端部をガイドする湾曲状のガイドフランジ７が取り付
けられている。このガイドフランジ７は、標準的なパタークラブを使って理想的なフォー
ムでスイングしたときに、パターヘッド４が描く運動軌跡と一致する曲線でもって湾曲状
に形成されている。そのため、ガイドフランジ７の水平方向の幅は、パターヘッド４の下
端部が乗るだけの幅に設定している。そして、パターヘッド４の下端部をこのガイドフラ
ンジ７に乗せてスイングすれば、パターヘッド４に理想的な運動軌跡を描かせることがで
きる。
【００１５】
また、パッティングプレート５の下端には、Ｌ字型に折り曲げられたブラケット６０が
接続され、そのブラケット６０が、後述のようにベースプレート６に対して着脱自在に取
り付けられるようになっている。このブラケット６０の折り曲げ角度は、７２度に設定さ
れ、これにより、パッティングプレート５のベースプレート６に対する取り付け角度が、
７２度に設定されるようになっている。また、このブラケット６０には、パッティングプ
レート５の長手方向と直行する方向に長穴６１が形成され、その長穴６１に、図示しない
蝶ボルトを差し込んでベースプレート６のネジ穴６２（図３参照）に捻じ込めば、ブラケ
ット６０をベースプレート６上に着脱自在に固定できるようになっている。したがって、
蝶ボルトを緩めた状態でパッティングプレート６をボールＢの方向に近接離反させれば、
パターヘッド４とボールＢとの距離を理想的な位置関係に調整することができる。しかる
後、蝶ボルトで締め付ければ、パッティングプレート６が理想的な位置でベースプレート
６に固定されるようになっている。
【００１６】
パッティングのストロークは、５０cm前後が理想的であるから、それに合わせて、パッ
ティングプレート５の全長を約５０cmの長さに設定している。また、フェイスラインを示
すマーク１０を中心に２０：３０の割合で、打撃目標側よりも後側の方を長く伸ばしてい
る。これにより、理想的なパッティングフォームでスイングすることができる。
【００１７】
また、パターヘッド４には、種々の形状のものがあり、ボールＢの沈み量も芝生によっ
て異なってくるので、パターヘッド４の理想的な打撃ポイントをボールＢの芯に正確に当
てるためには、ガイドフランジ７のベースプレート６に対する取り付け高さも調整する必
要がある。そこで、この実施形態では、ブラケット６０とベースプレート６との間に、図
４に示すような、高さ調整用の板材１２を適当な枚数だけ挟み込み、これによって、ガイ
ドフランジ７を任意の高さに調整するようにしている。
【００１８】
スライドバー３は、金属製の水平な棒状部材で形成され、その中央部分がベースプレー
ト６に取り付けられた支柱８上に固定されている。また、その高さは、パターヘッド４の
下端部をガイドフランジ７に乗せた状態で、パターヘッド４のソールを水平に保つと、ク
ラブシャフト２がスライドバー３に接する高さとなるように取り付けている。また、スラ
イドバー３の長手方向は、パッティング方向に向けられているが、ライ角の異なるパター
クラブを使用するときは、このスライドバー３を支柱８に対して上下位置調整可能に取り
付けて、その高さを調整するようにしても良い。
【００１９】
ベースプレート６は、金属製の十分な広さの平板で形成され、図３に示すように、ボー
ルＢが走る領域Ｒを切り欠いており、そのボールＢを固定する位置には、ボールＢを安定
させる円弧状の切り欠き９を設けている。また、その円弧状の切り欠き９の背後には、パ
ターヘッド４のフェイスラインを示すマーク１０が施され、そのマーク９と直行するその
背後の延長線上には、パッティング方向を示す溝１１が形成されている。
【００２０】
使用に際しては、図５に示すように、スライドバー３とパッティングプレート５とがパ
ッティング方向に向くようにベースプレート６の設置位置を調整する。そして、パターヘ
ッド４の下端部をガイドフランジ７に乗せ、ヘッド４のフェイス面をパッティング方向と
直交する方向に向けて、クラブシャフト２をスライドバー３に接触させると、理想的なパ
ッティングフォームの構えができる。その状態で、パターヘッド４をガイドフランジ７に
沿ってスイングすると、理想的なパッティングフォームでスイングすることができる。こ
れにより、同じフォームで繰り返しパッティング練習することができる。
【００２１】
なお、スライドバー３を支持する支柱８は、図示しない蝶ボルトでもってベースプレー
ト６に固定できるようになっている。また、ベースプレート６には、図３に示すように、
それを裏返しにしても、その裏面に支柱８やパッティングプレート５を取り付けることの
できるネジ穴６２が複数箇所に設けられているので、ベースプレート６を裏返しにし、そ
こに支柱８やパッティングプレート５を蝶ボルトで取り付ければ、右打ち用のパター練習
補助装置１を左打ち用に切り替えることができる。さらに、蝶ボルトを外して支柱８やパ
ッティングプレート５をベースプレート６から外せば、装置全体がコンパクトになり、持
ち運びも楽にできるようになっている。
【００２２】
前記ガイドフランジ７は、プレーヤーの身長や使用するクラブサイズに応じて、最適な
曲率のものにする必要があるから、この実施形態では、例えば、大人用、子供用、婦人用
と、種々の曲率のものを用意しておく必要がある。
これに対し、次に示す図６は、このガイドフランジ７の曲率を自由に変えられるように
したものである。
【００２３】
この図６において、ガイドフランジ７０は、パッティングプレート６５から分離できる
バネ材で形成しており、その両端部には、ボルト７１、７１を同一方向に向けて取り付け
ている。また、パッティングプレート６５の両端部には、上下方向に伸びる円弧状の長穴
６６、６６を形成し、その長穴６６、６６に前記ボルト７１、７１が挿入できるようにし
ている。また、ガイドフランジ７０とパッティングプレート６５の下端部とは、それぞれ
の中央部分７２、６７において連結できるように構成している。そして、ガイドフランジ
７０の両端部のボルト７１、７１をパッティングプレート６５の長穴６６、６６に挿入し
て、パッティングプレート６５の裏側から蝶ナット６８、６８を各ボルト７１、７１に捻
じ込めば、仮止めできるようになっている。この仮止め状態では、ガイドフランジ７０の
曲率は、最も大きい曲率を維持するようになっている。
【００２４】
そして、プレーヤーの身長に応じたスイング軌道を決めるときは、使用するクラブのパ
ターヘッド４の下端部にフェルトペン等を取り付け、その状態でパターヘッド４の後端部
をパッティングプレート６５に沿わせながら理想的なフォームでスイングすると、パッテ
ィングプレート６の表面には、理想的なスイング軌道が描かれる。そして、ガイドフラン
ジ７０の両端部を長穴６６、６６に沿って上下に移動させれば、ガイドフランジ７０を、
描かれたスイング軌道に沿って湾曲させることができるから、両者が一致すれば、仮止め
した蝶ナット６８、６８を締め付けることにより、ガイドフランジ７０をパッティングプ
レート６５のプレート面に固定することができる。これにより、湾曲したガイドフランジ
７０の曲率を自由に変えることができる。
【００２５】
以上、本考案の一実施形態を説明したが、本考案は、これに限定されるものではなく、
その他の形態も採用可能である。例えば、この実施形態では、パター練習補助装置を金属
製の部材で構成したが、これに代えて、合成樹脂製の軽量部材で構成しても良い。また、
パッティング方向を示すマークとして、溝１１を形成したが、これに代えて、単に線を描
いたものでも良い。また、金属同士を滑らすと、騒音が発生するので、パターヘッドやク
ラブシャフトが接触する箇所には、樹脂製の滑り易いシートを貼り付けても良い。更に、
曲率を変えた変形し難い種々のガイドフランジ７０を用意し、その中から最適なものを選
んで、長穴６６、６６に取り付けるようにしても良い。そうすれば、パッティングプレー
ト６全体を取り替える場合に比して、製造コストを抑えることができる。
【符号の説明】
【００２６】
１    パター練習補助装置
２    クラブシャフト
３    スライドバー
４    パターヘッド
５    パッティングプレート
６    ベースプレート
７    ガイドフランジ
８    支柱
１０    フェイスラインを示すマーク
１１    パッティング方向を示すマーク
１２    パッティングプレートの高さ調整用の部材
【図１】
0003190777.tif 000003
【図２】
0003190777.tif 000004
【図３】
0003190777.tif 000005
【図４】
0003190777.tif 000006
【図５】
0003190777.tif 000007
【図６】
0003190777.tif 000008